(57)【要約】【課題】熱交換器を通過する空気の流れを形成する送風機と、熱交換器への流入空気の塵埃を捕捉するフィルタを備えた横長の空気調和機において、電動送風機が内蔵された吸引装置の作動と、フィルタの表面に沿って左右に移動する吸引ノズルによって、フィルタの表面付着の塵埃を吸引ノズルで吸い込み、排気ダクトから室外に排気するものがあるが、機構が複雑化しコストもアップする。本発明は簡便機構にてフィルタの新しい面で塵埃を補足し長期間に亘って使用可能なフィルタ装置を提供する。【解決手段】上下の回転軸の少なくとも一方にロール状に巻回した帯状フィルタを、回転軸の少なくとも一方の駆動によって巻き取り、塵埃で汚れたフィルタ面から新しいフィルタ面へ移動させるフィルタユニットを空気調和機の空気吸込部に着脱自在とした。【選択図】図２
2009085504.tif 000002
【特許請求の範囲】
【請求項１】
熱交換器と、前記熱交換器を通過する空気の流れを形成する送風機と、前記熱交換器へ流入する空気吸い込み部を覆うように配置されて塵埃を捕捉するフィルタユニットとを空気調和機本体に備えた横長の空気調和機において、前記フィルタユニットは、前記空気調和機本体の上部に左右方向に配置される上部回転軸と、前記空気調和機本体の下部に左右方向に配置される下部回転軸と、前記上部回転軸と下部回転軸を回転可能な状態で連結する連結体と、前記上部回転軸と下部回転軸の少なくとも一方の回転軸にロール状に巻回され前記上部回転軸と下部回転軸に架け渡されて前記空気吸い込み部を覆うフィルタと、前記フィルタを巻き取るように少なくとも前記上部回転軸と下部回転軸のいずれか一方を駆動する電動機装置とからなり、前記フィルタユニットは、前記空気調和機本体に着脱自在に取り付けられたことを特徴とする空気調和機。
【請求項２】
熱交換器と、前記熱交換器を通過する空気の流れを形成する送風機と、前記熱交換器へ流入する空気吸い込み部を覆うように配置されて塵埃を捕捉するフィルタユニットとを空気調和機本体に備えた横長の空気調和機において、前記空気吸い込み部は前記空気調和機本体の上面と前面に形成した上面空気吸い込み部と前面空気吸い込み部を備え、前記フィルタユニットは、前記空気調和機本体の上面後部に左右方向に配置される上部回転軸と、前記空気調和機本体の前面下部に左右方向に配置される下部回転軸と、前記上部回転軸と下部回転軸を回転可能な状態で連結する連結体と、前記上部回転軸と下部回転軸の少なくとも一方の回転軸にロール状に巻回され前記上部回転軸と下部回転軸に架け渡されて前記上面空気吸い込み部と前面空気吸い込み部を覆うフィルタと、前記フィルタを巻き取るように少なくとも前記上部回転軸と下部回転軸のいずれか一方を駆動する電動機装置とからなり、前記フィルタユニットは、前記空気調和機本体に着脱自在に取り付けられたことを特徴とする空気調和機。
【請求項３】
前記フィルタユニットは、前記フィルタの表面に付着した塵埃を除去するために前記下部回転軸に近接して左右方向に配置された塵埃除去用ブラシと、前記塵埃除去用ブラシの下方に塵埃受け部を備えことを特徴とする請求項１又は請求項２に記載の空気調和機。
【請求項４】
前記電動機装置は、前記フィルタを一方向に所定ピッチごと巻き取るように駆動することを特徴とする請求項１乃至請求項３のいずれかに記載の空気調和機。
【請求項５】
前記電動機装置は、前記上部回転軸と前記下部回転軸をそれぞれ駆動するように設けられ、前記フィルタを一方向に巻き取る動作と逆方向に巻き取る動作に切り替え駆動されることを特徴とする請求項３に記載の空気調和機。
【請求項６】
前記フィルタは前記上部回転軸と下部回転軸に架け渡されたエンドレス状であり、前記電動機装置は、前記フィルタを一方向に所定ピッチ移動するように駆動されることを特徴とする請求項１乃至請求項３のいずれかに記載の空気調和機。
【請求項７】
前記電動機装置は、前記空気調和機の運転時間の所定積算時間ごとに、前記フィルタを所定ピッチ移動するように駆動されることを特徴とする請求項１乃至請求項６のいずれかに記載の空気調和機。
【発明の詳細な説明】
【技術分野】
【０００１】
本発明は、室内の空気調和を行うように室内の壁に取り付けられる室内用空気調和機に関し、特に、熱交換器への流入空気の塵埃を捕捉するフィルタユニットに係る技術に関する。
【背景技術】
【０００２】
熱交換器と、この熱交換器を通過する空気の流れを形成する送風機と、前記熱交換器への流入空気の塵埃を捕捉するフィルタを備えた横長の空気調和機において、電動送風機が内蔵された吸引装置の作動と、フィルタの表面に沿って左右に移動する吸引ノズルによって、フィルタの表面付着した塵埃を吸引ノズルで吸い込み、排気ダクトから室外に排気するものがある。（例えば、特許文献１参照）。
【特許文献１】特開２００５−１４７５４６号公報
【発明の開示】
【発明が解決しようとする課題】
【０００３】
この特許文献１のものでは、フィルタの表面に沿って吸引ノズルを左右に移動させつつ吸引装置によってフィルタ表面に付着した塵埃を吸引し、室外に排出されるものである。このため、機構が複雑化し、コストもアップしたものとなる。本発明は、このような技術に替えて、上下の回転軸の少なくとも一方にロール状に巻回した帯状フィルタを、この回転軸の少なくとも一方の駆動によって巻き取るようにし、塵埃で汚れたフィルタ面から新しいフィルタ面へフィルタを移動させる方式を採用することによって、上記のような左右に移動させる吸引ノズルを必要としない簡単な構成のフィルタユニットを提供するものである。
【課題を解決するための手段】
【０００４】
第１発明の空気調和機は、熱交換器と、前記熱交換器を通過する空気の流れを形成する送風機と、前記熱交換器へ流入する空気吸い込み部を覆うように配置されて塵埃を捕捉するフィルタユニットとを空気調和機本体に備えた横長の空気調和機において、前記フィルタユニットは、前記空気調和機本体の上部に左右方向に配置される上部回転軸と、前記空気調和機本体の下部に左右方向に配置される下部回転軸と、前記上部回転軸と下部回転軸を回転可能な状態で連結する連結体と、前記上部回転軸と下部回転軸の少なくとも一方の回転軸にロール状に巻回され前記上部回転軸と下部回転軸に架け渡されて前記空気吸い込み部を覆うフィルタと、前記フィルタを巻き取るように少なくとも前記上部回転軸と下部回転軸のいずれか一方を駆動する電動機装置とからなり、前記フィルタユニットは、前記空気調和機本体に着脱自在に取り付けられたことを特徴とする。
【０００５】
第２発明の空気調和機は、熱交換器と、前記熱交換器を通過する空気の流れを形成する送風機と、前記熱交換器へ流入する空気吸い込み部を覆うように配置されて塵埃を捕捉するフィルタユニットとを空気調和機本体に備えた横長の空気調和機において、前記空気吸い込み部は前記空気調和機本体の上面と前面に形成した上面空気吸い込み部と前面空気吸い込み部を備え、前記フィルタユニットは、前記空気調和機本体の上面後部に左右方向に配置される上部回転軸と、前記空気調和機本体の前面下部に左右方向に配置される下部回転軸と、前記上部回転軸と下部回転軸を回転可能な状態で連結する連結体と、前記上部回転軸と下部回転軸の少なくとも一方の回転軸にロール状に巻回され前記上部回転軸と下部回転軸に架け渡されて前記上面空気吸い込み部と前面空気吸い込み部を覆うフィルタと、前記フィルタを巻き取るように少なくとも前記上部回転軸と下部回転軸のいずれか一方を駆動する電動機装置とからなり、前記フィルタユニットは、前記空気調和機本体に着脱自在に取り付けられたことを特徴とする。
【０００６】
第３発明の空気調和機は、第１発明または第２発明において、前記フィルタユニットは、前記フィルタの表面に付着した塵埃を除去するために前記下部回転軸に近接して左右方向に配置された塵埃除去用ブラシと、前記塵埃除去用ブラシの下方に塵埃受け部を備えたことを特徴とする。
【０００７】
第４発明の空気調和機は、第１発明乃至第３発明において、前記電動機装置は、前記フィルタを一方向に所定ピッチごと巻き取るように駆動することを特徴とする。
【０００８】
第５発明の空気調和機は、第３発明において、前記電動機装置は、前記上部回転軸と前記下部回転軸をそれぞれ駆動するように設けられ、前記フィルタを一方向に巻き取る動作と逆方向に巻き取る動作に切り替え駆動されることを特徴とする。
【０００９】
第６発明の空気調和機は、第１乃至第３発明のいずれかにおいて、前記フィルタは前記上部回転軸と下部回転軸に架け渡されたエンドレス状であり、前記電動機装置は、前記フィルタを一方向に所定ピッチ移動するように駆動されることを特徴とする。
【００１０】
第７発明の空気調和機は、第１乃至第６発明のいずれかにおいて、前記電動機装置は、前記空気調和機の運転時間の所定積算時間ごとに、前記フィルタを所定ピッチ移動するように駆動されることを特徴とする。
【発明の効果】
【００１１】
第１発明及び第２発明では、フィルタは電動機装置によって巻き取るため、フィルタ面が塵埃の付着によって汚れても、新しいフィルタ面が空気吸い込み部を覆うように、フィルタを電動機装置によって移動させることにより、熱交換器による良好な熱交換状態を維持することができる。そして、フィルタユニットは空気調和機本体に着脱自在であるため、フィルタの交換や、修理点検、清掃等に便利であると共に、製造段階でも、空気調和機本体とは別個の組み立てによって完成させることができるため、製造もし易くなる。
【００１２】
第３の発明では、第１発明及び第２発明の効果に加えて、下部回転軸に近接して左右方向に配置された塵埃除去用ブラシを設けることによって、フィルタを下部回転軸に巻き取るとき、フィルタ表面に付着した塵埃が除去でき、塵埃が付着したままフィルタを巻き取ることがなく、衛生的であってしかも巻き取りも安定したものとなる。また、塵埃除去用ブラシで掻き落とされた塵埃は、下方の塵埃受け部で受けるため飛散せず衛生的である。なお、この塵埃受け部を着脱式とすれば、この塵埃受け部で受けた塵埃を手動で捨てることができ、また、この塵埃受け部の側面部に塵埃吸引機が設けられておれば、自動吸引にて塵埃吸引機の塵埃ボックスへ収集でき、更に、家庭用掃除機を塵埃受け部の側面部に形成した排気口に接続可能とすれば、家庭用掃除機で吸引排除できる。
【００１３】
第４の発明では、第１発明乃至第３発明の効果に加えて、フィルタを一方向に所定ピッチごと巻き取るため、数年分に亘って使用できるような長さのフィルタを予め回転軸に巻いておき、電動機装置によって、塵埃が付着したフィルタから、新しいフィルタ面が空気吸い込み部を覆うように所定ピッチごとフィルタを移動させることにより、熱交換器による良好な熱交換状態を維持することができる。
【００１４】
第５の発明では、第３発明の効果に加えて、電動機装置によってフィルタが一方向と逆方向に駆動されることによって、フィルタ面を再使用でき、長期に亘る使用に適したものとなる。
【００１５】
第６の発明では、フィルタは上部回転軸と下部回転軸に架け渡されたエンドレス状であることによって、第１乃至第３発明と同様の効果を奏することができる。
【００１６】
第７の発明では、第１乃至第６発明の効果に加えて、電動機装置は、空気調和機の運転時間の所定積算時間ごとに、フィルタを所定ピッチ移動するため、空気調和機を使用する人によっていちいち駆動させることなく、自動的に新しいフィルタ面によって空気吸い込み部を覆うようにでき、熱交換器での良好な熱交換状態を維持することができる。  
【発明を実施するための最良の形態】
【００１７】
本発明の空気調和機は、熱交換器と、前記熱交換器を通過する空気の流れを形成する送風機と、前記熱交換器へ流入する空気吸い込み部を覆うように配置されて塵埃を捕捉するフィルタユニットとを空気調和機本体に備えた横長の空気調和機において、前記フィルタユニットは、前記空気調和機本体の上部に左右方向に配置される上部回転軸と、前記空気調和機本体の下部に左右方向に配置される下部回転軸と、前記上部回転軸と下部回転軸を回転可能な状態で連結する連結体と、前記上部回転軸と下部回転軸の少なくとも一方の回転軸にロール状に巻回され前記上部回転軸と下部回転軸に架け渡されて前記空気吸い込み部を覆うフィルタと、前記フィルタを巻き取るように少なくとも前記上部回転軸と下部回転軸のいずれか一方を駆動する電動機装置とからなり、前記フィルタユニットは、前記空気調和機本体に着脱自在に取り付けられたものであり、以下に本発明の実施形態を記載する。
【実施例１】
【００１８】
次に、本発明の実施の形態について説明する。図１は室内用空気調和機と室外機のセットである分離型空気調和機の斜視図、図２は前面パネル等を取り外した状態でフィルタユニットが取り付けられた関係を示す室内用空気調和機の正面斜視図、図３は図２でフィルタユニットのフィルタを視認し易く表した室内用空気調和機の正面斜視図、図４はフィルタユニットが取り付けられた関係を示す室内用空気調和機の縦断側面図、図５はフィルタユニットの正面斜視図、図６はフィルタユニットの軸受け部の構成を説明する斜視図、図７はフィルタユニットの軸受け部の構成を説明する縦側面図である。
【００１９】
図において、本発明に係る空気調和機１は、室内の壁に掛けられるタイプの横長の壁掛け式室内用空気調和機であり、冷媒の圧縮機と凝縮器とこれらの熱交換用送風機８等を収納した室外機１０とで一組の分離型空気調和機Ｋを構成する。室内用空気調和機１と室外機１０とは、室内用空気調和機１の熱交換器３の冷媒の入口パイプと出口パイプにそれぞれ接続される２本の冷媒パイプ６０と、電気配線９とで連結された状態である。空気調和機Ｋは、家屋の室内の空気調和を行うために、冷房動作、暖房動作、除湿動作、換気動作、室内空気循環動作を選択スイッチの操作に基づき選択できるものである。この選択スイッチは、使用性を考慮して、一般的に使用者が任意に遠隔操作可能なリモートコントローラ（図示せず）に設けられたスイッチで構成される。１２は室内用空気調和機１の熱交換器３に付着した露を排出するためのドレンパイプである。
【００２０】
室内用空気調和機１は、空気調和機本体２と前面パネル７とで構成された横長形状をなし、空気調和機本体２は、内部に横長の熱交換器３と、熱交換器３を通過する空気の流れを形成する横長の電動送風機４と、電装箱５と、熱交換器３へ室内空気を吸い込む空気吸い込み部と、この空気吸い込み部に流入空気の塵埃を捕捉するフィルタ６Ａを備えたフィルタユニット６を備え、下側面に空気吹き出し口１１を備えている。図示の構成では、空気調和機本体２の空気吸い込み部は、前面と上面から空気を吸い込む構成であるため、上面空気吸い込み部ＵＳと前面空気吸い込み部ＦＳを形成し、フィルタユニット６は、フィルタ６が上面空気吸い込み部ＵＳと前面空気吸い込み部ＦＳを覆うように、空気調和機本体２の前面と上面に渡って着脱自在に配置されている。
【００２１】
送風機４は、熱交換器３の後ろ側に位置した略熱交換器３の左右全幅に渡る長さを有する横長の横流式ファン４Ａと、これを回転させる電動機（図示せず）とで構成される。横流式ファン４Ａは、間隔を存して配置した円板４Ｄの円周に左右方向に延びる多数の羽根４Ｃが配置され、左右両端の軸部４Ｅ軸受けによって回転可能に支持され、その軸部４Ｅを電動機４Ｂで回転するものである。
【００２２】
熱交換器３は、縦方向に延びたアルミニウム薄板のフィンＰを略等間隔に横方向に多数並列配置状態において、複数の冷媒パイプＱが横方向に貫通配置されたプレートフィン型熱交換器の構成である。
【００２３】
前面パネル７は、空気調和機１の非運転状態では空気調和機本体２の前面側へ近接し閉じた状態であるが、空気調和機１の運転状態においては、空気調和機本体２との間隔を広げて、空気調和機本体２の前面空気吸い込み部ＦＳへ通じる空気吸い込み通路を前面パネル７の周囲に形成するように、電動機構（図示せず）によって前方へ移動するように構成している。前面パネル７が固定の場合は、空気調和機本体２の前面との間に空気吸い込み通路を形成した間隔に配置した構成となる。いずれの場合も、送風機４の運転によって、この空気吸い込み通路と上面から吸い込まれた家屋の室内空気は、後述のフィルタユニット６のフィルタ６Ａを通過するとき塵埃が補足され、次いで熱交換器３を通過する間に熱交換され、空気吹き出し口１１から家屋の室内へ送出される。また、前面パネル７は空気調和機本体２に対して、取り外し可能、又は上方へ回動にて開くことが可能な構成である。空気調和機１は、家屋の室内の壁にネジ固定した固定板に対して背面の引っ掛け部を引っ掛けることによって取り付けられる。
【００２４】
空気吹き出し口１１には、図４に示すように、空気調和機１の非運転状態では空気吹き出し口１１を閉じるように電動機構（図示せず）によって作動し、空気調和機１の運転状態では空気吹き出し口１１を点線状態のように電動機構（図示せず）によって開くように作動する上下風向板１１Ａ、１１Ｂと、空気吹き出し口１１を流れる空気を整流するように左右方向に間隔を保って並列配置した整流板１１Ｃを備えている。
【００２５】
次にフィルタユニット６について説明する。フィルタユニット６は、空気調和機本体２の上面後部に左右方向に配置される上部回転軸１５と、空気調和機本体２の前面下部に左右方向に配置される下部回転軸１６と、上部回転軸１５と下部回転軸１６を回転可能状態に維持して連結する連結体１７と、上部回転軸１５と下部回転軸１６の少なくとも一方の回転軸にロール状に巻回され上部回転軸１５と下部回転軸１６に架け渡されて上面空気吸い込み部ＵＳと前面空気吸い込み部ＦＳを覆うフィルタ６Ａと、フィルタ６Ａを巻き取るように少なくとも上部回転軸１５と下部回転軸１６のいずれか一方を駆動する電動機装置１８とからなる。
【００２６】
そして、フィルタユニット６は、上面空気吸い込み部ＵＳと前面空気吸い込み部ＦＳを覆うように、空気調和機本体２に着脱自在に取り付けられる構成である。フィルタユニット６が空気調和機本体２に着脱自在であることを考慮して、変形し難い構成とするために、連結体１７は、上下の連結体１７Ｄ、１７Ｅが左右と中間部でそれぞれ縦方向連結体１７Ａ、１７Ｂ、１７Ｃによって連結されて、全体として横長の枠体を形成している。上連結体１７Ｄと下連結体１７Ｅは、それぞれ上部回転軸１５と下部回転軸１６を収納するように横長の収納室を形成した中空状である。
【００２７】
上部回転軸１５と下部回転軸１６は、それぞれ左連結体１７Ａと右連結体１７Ｂに亘る長さであり、それぞれ左連結体１７Ａと右連結体１７Ｂに回転可能に軸支持され、水平状態を保つためにその中間部が中間連結体１７Ｃに回転可能に軸支持されている。フィルタ６Ａは、上部回転軸１５と下部回転軸１６の少なくとも一方の回転軸にロール状に巻回された帯状であり、長期間（例えば１０年間）に亘って使用できる長さを有する。フィルタ６Ａは、左連結体１７Ａと右連結体１７Ｂに亘る横幅の形態でもよいが、実施例では中間連結体１７Ｃの存在によって、中間連結体１７Ｃを境にして、左右に分割されたフィルタ６Ａ１、６Ａ２が上部回転軸１５と下部回転軸１６に架け渡された構成である。
【００２８】
左連結体１７Ａの右辺部と、中間連結体１７Ｃの左右辺と、右連結体１７Ｂの左辺部には、それぞれ対応するフィルタ６Ａ１、６Ａ２の左右端部の裏面を支持するように、ガイド部１７Ａ１、１７Ｃ１、１７Ｃ２、１７Ｂ１を形成している。また、６Ａ１、６Ａ２が裏側へ落ち込まないようにするために、フィルタ６Ａ１、６Ａ２の裏面に対向するフィルタ支持部材１９Ａが、左連結体１７Ａと中間連結体１７Ｃとに亘り、また右連結体１７Ｂと中間連結体１７Ｃとに亘って取り付けられている。また、上面空気吸い込み部ＵＳと前面空気吸い込み部ＦＳとの交差部には、フィルタ６Ａ１、６Ａ２が屈曲する部分を支える支持部材１９Ｂが、中間連結体１７Ｃを貫通して左連結体１７Ａと右連結体１７Ｂに亘って取り付けられている。また、この支持部材１９Ｂによって、連結体１７の形状が安定化する。
【００２９】
フィルタユニット６は、フィルタ６Ａ１、６Ａ２の表面に付着した塵埃を除去するための塵埃除去用ブラシ２０が、そのブラシホルダ２０Ａをネジ２１にて下部回転軸１６に近接するように下連結体１７Ｅの上面に取り付けられている。なお、フィルタ６Ａ１、６Ａ２の裏面に付着した塵埃を除去するための塵埃除去用ブラシ２０Ｂを、フィルタ６Ａ１、６Ａ２の裏面に存在する部材、例えばフィルタ支持部材１９Ａに取り付けるようにしてもよい。
【００３０】
フィルタ６Ａ１、６Ａ２を一方向に所定ピッチごと巻き取るようにするために、上部回転軸１５と下部回転軸１６のいずれか一方（実施例では下部回転軸１６）を駆動する電動機装置１８が、空気調和機本体２に取り付けられている。電動機装置１８は、電動機１８Ａと、この電動機１８Ａによって駆動される複数の歯車の組み合わせからなる減速回転機構１８Ｂとからなり、減速回転機構１８Ｂの最後の歯車に噛み合うように、上部回転軸１５と下部回転軸１６のいずれか一方の端部には従動歯車２２が取り付けられている。実施例では、下部回転軸１６の端部に従動歯車２２が取り付けられている。これによって、電動機１８Ａの回転によって、減速回転機構１８Ｂを介して従動歯車２２が回転するため、従動歯車２２が取り付けられた下部回転軸１６が図４で反時計方向に回転して、上部回転軸１５の回転を伴ってフィルタ６Ａ１、６Ａ２を下部回転軸１６に巻き取るように動作する。
【００３１】
この構成では、新規のフィルタユニット６では、フィルタ６Ａ１、６Ａ２は上部回転軸１５にロール状６Ｂに巻回され、そのロール状に巻回されたフィルタ６Ａ１、６Ａ２の引き出し部分が下部回転軸１６に巻き付いて、これが空気調和機本体２に取り付けられて使用される。電動機装置１８は、フィルタ６Ａ１、６Ａ２を一方向に所定ピッチごと巻き取るように駆動する。空気調和機１の制御部（図示せず）には、空気調和機１の運転時間を積算する積算回路部を備え、これによって、空気調和機１の運転時間が所定積算時間に達したとき、電動機１８Ａに通電されて電動機装置１８が動作し、フィルタ６Ａ１、６Ａ２を所定ピッチ移動するように駆動する。この所定ピッチは、上面空気吸い込み部ＵＳと前面空気吸い込み部ＦＳを覆っていたフィルタ６Ａ１、６Ａ２の現在部分が下方へ移動して下部回転軸１６に巻き取られ、新しいフィルタ面が上面空気吸い込み部ＵＳと前面空気吸い込み部ＦＳを覆う位置まで巻き取られることをいう。この所定ピッチの巻き取りのために前記制御部（図示せず）によって電動機１８Ａが所定時間運転される。
【００３２】
この巻取りによって、上面空気吸い込み部ＵＳと前面空気吸い込み部ＦＳを覆っていたフィルタ６Ａ１、６Ａ２の表面に付着していた塵埃は、塵埃除去用ブラシ２０によって掻き落とされて下方の塵埃受け部（集塵ボックス部）２３に入る。塵埃受け部（集塵ボックス部）２３は、下連結体１７Ｅに形成してもよく、また下連結体１７Ｅとは別個に形成してもよく、いずれの構成においても、塵埃受け部（集塵ボックス部）２３の塵埃は、塵埃受け部（集塵ボックス部）２３の側面に形成した排気孔２４に接続する電気集塵機（図示せず）によって取り除かれるようにすればよい。この電気集塵機（図示せず）は、その吸引口を排気孔２４に接続した状態で空気調和機本体２に予め配置したものでもよいが、コスト低減のためには、家庭用電気掃除機（電気集塵機）の吸引口をこの排気孔２４に接続して、塵埃受け部（集塵ボックス部）２３の塵埃を吸引して排出する構成でもよい。
【００３３】
このように、フィルタ６Ａ、即ちフィルタ６Ａ１、６Ａ２は、上部回転軸１５にロール状に巻回された帯状であり、所定ピッチごと下部回転軸１６に巻き取られる構成であるため、空気調和機１の標準的な使用を想定して予め定めた所定の長期間（例えば１０年間）に亘って使用できる長さを有するように、フィルタ６Ａ１、６Ａ２の長さを設定しておくのがよい。
【００３４】
上記の構成では、下部回転軸１６を電動機装置１８によって回転させて、フィルタ６Ａを一方向に所定ピッチごと巻き取るようにしているが、これに替わって、上記同様の構成でもって、上部回転軸１５を駆動するように電動機装置１８を空気調和機本体２に取り付けた構成でもよい。この場合は、塵埃除去用ブラシ２０が上連結体１７Ｄに設ける構成となり、この塵埃除去用ブラシ２０によって掻き落とされた塵埃が上部の塵埃受け部（集塵ボックス部）２３に入る構成となる。このため、集塵構成としては、塵埃受け部（集塵ボックス部）２３の側面に形成した排気孔（排気孔２４と同様構成）に接続した電気集塵機（図示せず）を予め空気調和機本体２に備えておき、この電気集塵機（図示せず）を電動機装置１８の駆動時間中運転するようにするのがよい。
【００３５】
フィルタユニット６は、上面空気吸い込み部ＵＳと前面空気吸い込み部ＦＳを覆うように、空気調和機本体２に着脱自在に取り付けられる構成である。この構成を達成するために、フィルタユニット６の上下左右端部には着脱自在な支持部３０が形成されている。この着脱自在な支持部３０の構成として、図６及び図７に示すように、上部回転軸１５と下部回転軸１６の左右端部を受け入れるために、空気調和機本体２に設けた固定部２Ｋに、上部回転軸１５と下部回転軸１６の左右端部より若干大きい直径の半円状の軸受け凹部２５がそれぞれ形成され、この軸受け凹部２５に併設して、上部回転軸１５と下部回転軸１６の左右端部が弾性嵌合する板バネ２６が、固定部２Ｋに取り付けられている。実施例では、固定部２Ｋは、電動機装置１８、１８１の減速回転機構１８Ｂ、１８１Ｂを覆うボックスであり、このボックスが空気調和機本体２に固定されている。
【００３６】
板バネ２６は、一端が固定部２４に取り付けられて他端部が自由動するフリーの状態であり、この自由動する他端部に、軸受け凹部２５と略同じ向きの嵌合凹部２７を形成している。この嵌合凹部２７は、それに嵌合する上部回転軸１５と下部回転軸１６の左右端部が弾性係合するように、上部回転軸１５と下部回転軸１６の左右端部がその直径よりも狭い入口２８を押し広げながら侵入して保持される。この保持状態は、図７に示すように、上部回転軸１５と下部回転軸１６の左右端部の直径部ＣＨが嵌合凹部２７の入口２８よりも嵌合凹部２７内に入り込んだ位置となることにより、上部回転軸１５と下部回転軸１６の左右端部が嵌合凹部２７から外れ難くなり、フィルタユニット６が上面空気吸い込み部ＵＳと前面空気吸い込み部ＦＳを覆う状態を安定的に保持できる。
【００３７】
このように、フィルタユニット６の取り付けは、上部回転軸１５と下部回転軸１６の左右端部がその直径よりも狭い入口２８を押し広げながら侵入するように押し込むことによって、上部回転軸１５と下部回転軸１６の左右端部が嵌合凹部２７に保持され、それに伴って、従動歯車２２が減速回転機構１８Ｂの最後の歯車に噛み合うようになり、また、電動機装置１８１を設けた場合は、従動歯車２２Ａが減速回転機構１８１Ｂの最後の歯車に噛み合うようになり、フィルタユニット６の取り付けが達成される。そして、この取り付け状態において、フィルタユニット６を取り外す場合は、上部回転軸１５と下部回転軸１６の左右端部が嵌合凹部２７から外れる程度の作用力で持って引っ張ることによって、上部回転軸１５と下部回転軸１６の端部に従動歯車２２、又は２２Ａが取り付いた状態でフィルタユニット６が取り外される。
【実施例２】
【００３８】
次に、実施例２の構成について説明する。実施例２では、図２に示すように、上部回転軸１５と下部回転軸１６の双方を駆動する電動機装置１８、１８１が、空気調和機本体２に取り付けられている。電動機装置１８は、上記のように下部回転軸１６を図４で反時計方向に回転して、上部回転軸１５の回転を伴ってフィルタ６Ａを下部回転軸１６に巻き取るように動作する。そして、電動機装置１８１は、その上部回転軸１５を図４で反時計方向に回転して、下部回転軸１６の回転を伴ってフィルタ６Ａを上部回転軸１５に巻き取るように動作する。
【００３９】
実施例２では、新規のフィルタユニット６は、フィルタ６Ａ１、６Ａ２が上部回転軸１５にロール状に巻回され、そのロール状に巻回されたフィルタ６Ａ１、６Ａ２の引き出し部分が下部回転軸１６に巻き付いて、これが空気調和機本体２に取り付けられて使用される。そして、上記同様に、空気調和機１の運転時間が所定積算時間に達したとき、電動機１８Ａに通電されて電動機装置１８が動作し、フィルタ６Ａ１、６Ａ２を所定ピッチごと下部回転軸１６に巻き取るように駆動する。そして、この所定ピッチごとの巻き取り動作回数が所定値に達したとき、次から、空気調和機１の運転時間が所定積算時間に達したとき、電動機装置１８１の電動機に通電して電動機装置１８１が動作し、フィルタ６Ａ１、６Ａ２を所定ピッチごと上部回転軸１５に巻き取るように動作する。
【００４０】
電動機装置１８１は、電動機装置１８と同様の構成であり、電動機１８１Ａと、この電動機１８Ａによって駆動される複数の歯車の組み合わせからなる減速回転機構１８１Ｂとからなり、減速回転機構１８１Ｂの最後の歯車に噛み合うように、上部回転軸１５に取り付けた従動歯車２２Ａが取り付けられている。
【実施例３】
【００４１】
次に、実施例３の構成について説明する。実施例３では、図８に示すように、フィルタ6、即ちフィルタ６Ａ１、６Ａ２は、上部回転軸１５と下部回転軸１６に架け渡されたエンドレス状であり、電動機装置１８は、実施例１同様に、フィルタ６Ａ１、６Ａ２を一方向に所定ピッチ移動するように駆動される。
【産業上の利用可能性】
【００４２】
本発明の空気調和機は、空気調和機１の形状や構成については、上記実施形態に限定されず、本発明の技術的範囲を逸脱しない限り種々の空気調和機に適用できるものである。
【図面の簡単な説明】
【００４３】
【図１】本発明に係る室内用空気調和機と室外機のセットである分離型空気調和機の斜視図である。（実施例１）
【図２】本発明に係る前面パネル等を取り外した状態でフィルタユニットが取り付けられた関係を示す室内用空気調和機の正面斜視図である。（実施例１）（実施例２）
【図３】図２でフィルタユニットのフィルタを視認し易く表した室内用空気調和機の正面斜視図である。（実施例１）
【図４】本発明に係るフィルタユニットが取り付けられた関係を示す室内用空気調和機の縦断側面図である。（実施例１）
【図５】本発明に係るフィルタユニットの正面斜視図である。（実施例１）
【図６】本発明に係るフィルタユニットの軸受け部の構成を説明する斜視図である。（実施例１）
【図７】本発明に係るフィルタユニットの軸受け部の構成を説明する縦側面図である。（実施例１）
【図８】本発明に係るフィルタユニットのフィルタがエンドレス状であることを説明する側面図である。（実施例３）
【符号の説明】
【００４４】
１・・・・・空気調和機
２・・・・・空気調和機本体
２Ｋ・・・・固定部
３・・・・・熱交換器
４・・・・・送風機
５・・・・・電装ボックス
６・・・・・フィルタユニット
６Ａ・・・・フィルタ
６Ａ１、６Ａ２・・左右のフィルタ
６Ｂ・・・・ロール状部
７・・・・・前面パネル
１０・・・・室外機
１１・・・・空気吹き出し口
１５・・・・上部回転軸
１６・・・・下部回転
１７・・・・連結体
１７Ａ・・・左連結体
１７Ｂ・・・右連結体
１７Ｃ・・・中間連結体
１７Ｄ・・・上連結体
１７Ｅ・・・下連結体
１８・・・・電動機装置
１８Ａ・・・電動機
１８Ｂ・・・減速回転機構
１９Ａ・・・フィルタ支持部材
１９Ｂ・・・支持部材
２０・・・・塵埃除去用ブラシ
２０Ａ・・・ブラシホルダ
２０Ｂ・・・塵埃除去用ブラシ
２２・・・・従動歯車
２３・・・・塵埃受け部（集塵ボックス部）
２４・・・・排気孔
２５・・・・軸受け凹部
２６・・・・板バネ
２７・・・・嵌合凹部
２８・・・・嵌合凹部２７の入口
３０・・・・着脱自在な支持部
１８１・・・電動機装置
１８１Ａ・・電動機
１８１Ｂ・・減速回転機構
ＣＨ・・・・上部回転軸１５と下部回転１６の直径部
ＦＳ・・・・前面空気吸い込み部
ＵＳ・・・・上面空気吸い込み部
【図１】
2009085504.tif 000003
【図２】
2009085504.tif 000004
【図３】
2009085504.tif 000005
【図４】
2009085504.tif 000006
【図５】
2009085504.tif 000007
【図６】
2009085504.tif 000008
【図７】
2009085504.tif 000009
【図８】
2009085504.tif 000010